(57)【要約】      （修正有）【課題】キュースティックとの接着する層（一番下の層）に液状の接着剤の吸収を阻止する構造のタップを提供する。【解決手段】ビリヤード用キュースティックの先端に装着するビリヤードタップ１において、該タップ１の、キュースティック先端部のフェラル部との接着面Ｙに、しみ込み防止部材２を設けたビリヤードタップであり、しみ込み防止部材２は、複数の異なった着色の部材とする。【選択図】図１
0003164396.tif 000002
【実用新案登録請求の範囲】
【請求項１】
ビリヤード用キュースティック（Ｘ）の先端に装着するビリヤードタップ（１）において、該タップ（１）の、キュースティック（Ｘ）先端部のフェラル部（３）との接着面（Ｙ）に、しみ込み防止部材（２）を設けたことを特徴とするビリヤードタップ。
【請求項２】
しみ込み防止部材（２）は、複数の異なった着色の部材とすることを特徴とする請求項１記載のビリヤードタップ。
【考案の詳細な説明】
【技術分野】
【０００１】
この考案は、ビリヤードタップに関するものであり、特に、ビリヤード用キュースティックの先端に装着する際に、簡単、かつ、堅牢に装着できる構造としたビリヤードタップである。
【背景技術】
【０００２】
従来、ビリヤードにおいて、ビリヤード用キュースティック（以下、単に、キュースティックという。）の先端部に、ビリヤードタップ（以下、単に、タップという。）を装着して手玉を突いてプレーしている。
【０００３】
一般的に柔らかい合成樹脂、ナイロン等で作られるキュースティックのフェラル部はショットの衝撃により破損することがあった。
【０００４】
このタップは、キュースティックの先端部に接着剤を用いて装着するものであるが、確実な接着のためには、タップの接着面の平面出しを行う必要があり、この作業には、ある程度の熟練を要するものである。
【０００５】
その理由は、タップの素材は、天然もしくは人工皮革などの繊維体を単層、もくしは積層して構成したものであり、該タップのキュースティックとの接着面に、凹凸や波うち等の不陸が生じているものである。
【０００６】
そして、キュースティックにタップを装着する際に、主に、液状の瞬間接着剤が使用される。しかし、タップが皮革から構成されているため、該皮革が瞬間接着剤を吸収してしまい、キュースティックの先端と、確実、即ち，堅牢な接着が出来ない場合がある。
【０００７】
さらに、この接着剤の吸収量は、タップの皮革の繊維構造や接着剤、更には人為的な塗布量の違いの影響を受け、安定しないという欠点があった。
【０００８】
加えて、吸収量の異なる接着剤はタップ内部で硬化し、本来意図したタップの硬度を発揮出来ないという欠点があった。
【０００９】
しかも、キュースティックへ装着されたタップは、最早、その種類や硬度をあらわす表記が残っておらず、装着した者以外は、それらを知る方法は皆無であり、そのため、各プレーヤーが、どのタップを使用しているかはわからなかった。
【００１０】
このような欠点を解決できるタップについて先行技術の調査をするも、ビリヤード用タップに関する出願は、本願出願人の積層タップ（但し、現在出願公開前）しか存在しないものであった。
【考案の概要】
【考案が解決しようとする課題】
【００１１】
そこでこの考案は、従来、積層されたタップの全ての層を皮革で構成されていたが、この考案は、キュースティックとの接着する層（即ち，タップの一番下の層）に液状の接着剤の吸収を阻止する構造のタップを開発し、種々の欠点を除去することを課題とするものである。
【課題を解決するための手段】
【００１２】
この考案である課題を解決するための手段は、ビリヤード用キュースティック（Ｘ）の先端に装着するビリヤードタップにおいて、タップ（１）とキュースティック（Ｘ）との接着面（Ｙ）に、しみ込み防止部材（２）を設けたことを特徴とするビリヤードタップから構成され、かつ、しみ込み防止部材（２）は、合成樹脂製のシートもしくは他の材料も含めそれに類似する物、あるいはそれらの薄板であり、さらに、しみ込み防止部材（２）は、複数の着色の異なった部材したビリヤードタップである。
【考案の効果】
【００１３】
この考案によると、キュースティック（Ｘ）に接着するタップ（１）の接着面（Ｙ）に、しみ込み防止部材（２）を設けるため、瞬間接着剤（Ｚ）が、タップ（１）側に吸収されることがなく、そのため、タップ内部での瞬間接着剤の硬化を防ぎ、より品質が均一なタップ（１）を使用者に提供できる等の極めて有益なる効果を奏する。
【００１４】
さらに、キュースティック（Ｘ）に接着するタップの接着面（Ｙ）に設ける，しみ込み防止部材（２）は、人工的に製造された合成樹脂のため、接着材（Ｚ）がタップ（１）にしみ込むのを阻止でき、性能の低下を防ぎ、しかも、しみ込み防止部材（２）の素材が、合成樹脂の面のため、凹凸や波うち等の不陸がなく、従って、平面出しを行う作業等は必要がなく、多くのプレーヤーが、簡単、かつ迅速に装着できる。
【００１５】
そして、フェラル部（３）と接着される積層タップの下の層に堅牢な合成樹脂の薄板、シート、もしくは他の部材を含めてそれに類する物を配置し、フェラル部（３）と接着することによりショットの衝撃からフェラル部（３）を保護する役割を果たすことができる。
【００１６】
また、しみ込み防止部材（２）は、その素材が合成樹脂からなるため、着色の異なった樹脂を使用して形成することにより、着色の相違によってタップの種類を特定することが出来る。
【図面の簡単な説明】
【００１７】
【図１】この考案の一実施例を示す正面図である。
【図２】この考案の他の実施例を示す正面図である。
【図３】この考案の使用状態を示す一部欠截斜視図である。
【考案を実施するための形態】
【００１８】
この考案は、ビリヤードタップのビリヤード用キュースティックとの接着面に、しみ込み防止部材を設け、接着剤が、タップに吸収されないよう阻止するよう構成したタップである。
【実施例】
【００１９】
この考案の一実施例を図１に基づいて説明すると、ビリヤード用キュースティック（Ｘ）の先端に装着するビリヤードタップ（１）において、該タップ（１）のキュースティック（Ｘ）との接着面（Ｙ）に、しみ込み防止部材（２）を設けたことを特徴とするビリヤードタップから構成されるものである。
【００２０】
そして、前記しみ込み防止部材（２）は、合成樹脂製の薄板、あるいは、図２において示した合成樹脂製のシート（２′）であってもよいものである。要するに、瞬間接着剤（Ｚ）が、ビリヤードタップ（１）側にしみ込むことを防止することができる素材であればなんでもよく、合成樹脂製の薄板、あるいは、合成樹脂製のシート（２′）の他に、例えば、アルミ等の軽金属材であってもよいものである。
【００２１】
さらに、このしみ込み防止部材（２）は、複数の着色の異なった部材から設けることにより、着色の相違により、装着したキュースティック（Ｘ）に装着したタップ（１）を識別することができる。
【００２２】
尚、使用する接着剤（Ｚ）は、瞬間接着剤がよいが、他の液状接着剤を用いてもよいものである。
【産業上の利用可能性】
【００２３】
この考案によると、ビリヤードタップの技術を確立し、実施・販売することにより産業上の利用可能性がある。
【符号の説明】
【００２４】
１  ビリヤードタップ
２  しみ込み防止部材
３  フェラル部
Ｘ  ビリヤード用キュースティック
Ｙ  接着面
Ｚ  瞬間接着剤
【図１】
0003164396.tif 000003
【図２】
0003164396.tif 000004
【図３】
0003164396.tif 000005